(57)【要約】【課題】  印刷を施しやすく、収容された乾電池包装体を取り出しやすく、しかも、安価に製造することができる乾電池収容体を提供する。【解決手段】  プラスチックシートからなるケース２の乾電池収容部３に、複数本の乾電池Ｂが並列状態にて一括的に包装された乾電池包装体１が収容され、乾電池収容部３は、帯状のプラスチックシートの長手方向の一端部を他端部側に曲げて該シートに固定することにより、該シートの短手方向両側に開口したスリーブ状に形成され、該乾電池収容部３の両開口部近傍に切り込みが設けられ、該切り込みの外側には乾電池包装体の乾電池収容部からの抜けを防止するための抜け止め係止片８が形成され、該抜け止め係止片８は乾電池収容部３の内方に向けて変形することによりその内側のエッジで乾電池包装体１を係止する。【選択図】  図２
2005093334.tif 000002
【特許請求の範囲】
【請求項１】
プラスチックシートからなるケースの乾電池収容部に、複数本の乾電池が並列状態にて一括的に包装された乾電池包装体が収容されている乾電池収容体であって、
乾電池収容部は、帯状のプラスチックシートの長手方向の一端部を他端部側に曲げて該シートに固定することにより、該シートの短手方向両側に開口したスリーブ状に形成され、
該乾電池収容部の両開口部近傍に切り込みが設けられ、該切り込みの外側には乾電池包装体の乾電池収容部からの抜けを防止するための抜け止め係止片が形成され、
該抜け止め係止片は乾電池収容部の内方に向けて変形することによりその内側のエッジで乾電池包装体を係止することを特徴とする乾電池収容体。
【請求項２】
抜け止め係止片の一部が、乾電池収容部において抜け止め係止片と対向する箇所の内面に固定されている請求項１記載の乾電池収容体。
【発明の詳細な説明】
【技術分野】
【０００１】
本発明は、複数本の乾電池が収容された乾電池収容体に関する。
【背景技術】
【０００２】
一般に、この種の乾電池は、例えば四本がセットにされた状態で、ブリスターパックに収容されて販売されている。このブリスターパックは、周知の如く、シート成形により形成された裏面開口の収容凹部を有するプラスチックシートからなるケース本体と、該収容凹部を閉塞すべくケース本体の裏面に接着された台紙とからなるものである。そして、台紙をケース本体から剥離することによって収容凹部から乾電池を取り出すことができる。
【発明の開示】
【発明が解決しようとする課題】
【０００３】
しかしながら、ブリスターパックは、主として次のような問題がある。まず、シート成形により収容凹部を形成するので、プラスチックシートへの印刷に制約がある。また、開封に際して台紙を剥離する必要があるが、きれいに剥離して収容凹部を完全に開口させることは困難であり、台紙の一部が剥離されずに残ったり、収容凹部が部分的に開口したりする結果、被収容物である乾電池の取り出しは必ずしも容易ではない。特に、最近では、複数本の乾電池を並列状態でシュリンクフィルムで一括包装した乾電池包装体を被収容物として収容することもあり、その場合、収容凹部を正確に開口させないと乾電池包装体を容易に取り出すことができない。更には、ブリスターパックの場合には、シート成形において金型が必要となる点や、プラスチックシートと台紙という二つの部材が必要となる点などから製造コストも嵩みやすい。
【０００４】
そこで、本発明は、上記従来の問題に鑑みてなされ、印刷を施しやすく、収容された乾電池包装体を取り出しやすく、しかも、安価に製造することができる乾電池収容体を提供することを課題とする。
【課題を解決するための手段】
【０００５】
本発明は、上記課題を解決すべくなされたものであり、本発明に係る乾電池収容体は、プラスチックシートからなるケースの乾電池収容部に、複数本の乾電池が並列状態にて一括的に包装された乾電池包装体が収容されている乾電池収容体であって、乾電池収容部は、帯状のプラスチックシートの長手方向の一端部を他端部側に曲げて該シートに固定することにより、該シートの短手方向両側に開口したスリーブ状に形成され、該乾電池収容部の両開口部近傍に切り込みが設けられ、該切り込みの外側には乾電池包装体の乾電池収容部からの抜けを防止するための抜け止め係止片が形成され、該抜け止め係止片は乾電池収容部の内方に向けて変形することによりその内側のエッジで乾電池包装体を係止することを特徴とする。
尚、切り込みには、線状のもののみならず所定幅のスリット状のものも含まれるものとする。
【０００６】
該構成の乾電池収容体にあっては、帯状のプラスチックシートから形成されたスリーブ状の乾電池収容部に乾電池包装体を収容する構成であるので、シート成形が不要であり、従って、プラスチックシートに容易に印刷を施すことができる。かかるスリーブ状の乾電池収容部はその両側が開口しているが、乾電池収容部の内方に変形している抜け止め係止片がシート端面であるその内側のエッジで乾電池包装体を係止しているので、乾電池収容部の開口部から乾電池包装体が抜け出ることが防止される。その一方で、乾電池収容部はスリーブ状であるので、抜け止め係止片による係止状態を解除することで乾電池収容部の両側から乾電池包装体を容易に取り出すことができる。更に、プラスチックシートからスリーブ状の乾電池収容部が形成されているので、ブリスターパックのような台紙は不要であり、また、抜け止め係止片も切り込みにより形成されたものであるので乾電池包装体の抜け止めのために別途の部材も不要であり、従って、安価に製造することが可能である。
【０００７】
特に、抜け止め係止片の一部が、乾電池収容部において抜け止め係止片と対向する箇所の内面に固定されていることが好ましく、店頭で簡単に抜け止め係止片の係止状態を解除されることがなく、また、固定された抜け止め係止片を分離する必要があるので、仮にいたずらによって抜け止め係止片の係止状態が解除されたとしても、いたずらの痕跡がケースに残存し、タンパー機能が発揮される。
【発明の効果】
【０００８】
このように本発明に係る乾電池収容体にあっては、帯状のプラスチックシートによってスリーブ状の乾電池収容部が形成されていると共にその一部が抜け止め係止片となって乾電池包装体を係止しているので、印刷を施しやすく、収容された乾電池包装体を取り出しやすく、しかも、安価に製造することができる。
【発明を実施するための最良の形態】
【０００９】
以下、本発明に係る乾電池収容体の一実施形態について図面を参酌しつつ説明する。
図１に本実施形態における乾電池収容体を裏面から見た図が示されており、図２には、同乾電池収容体を側方から見た図が示されている。
該乾電池収容体は、複数本の乾電池Ｂが並列状態でシュリンクフィルムで一括包装（シュリンク包装）された乾電池包装体１と、該乾電池包装体１を収容するための乾電池収容部３を有するケース２とからなる。
【００１０】
乾電池包装体１は、例えば単三型や単四型の複数本の乾電池Ｂを一括包装したものである。シュリンクフィルムは種々の公知のものが使用されるが、特に、透明のものが乾電池Ｂの表面の図柄等が外部から見えるため好ましい。
【００１１】
ケース２は、透明の一枚のプラスチックシート２０から構成されている。プラスチックシート２０としては、ポリエチレンテレフタレート等のポリエステル、ポリ塩化ビニル、ポリプロピレン、ポリスチレン等の合成樹脂から硬質又は半硬質に形成されてなるもので、その肉厚は０．１ｍｍ乃至０．８ｍｍのものが使用される。該プラスチックシート２０は、図３に示すように幅略一定の帯状のものである。プラスチックシート２０には、幅方向（短手方向）に沿って折曲罫線２１が間隔をおいて形成され、これらの折曲罫線２１によってプラスチックシート２０は５つの部位に区画される。そして、その折曲罫線２１に沿ってプラスチックシート２０を折り曲げることで、スリーブ状の乾電池収容部３を有するケース２が形成される。即ち、プラスチックシート２０の下端部（一端部）を上端部（他端部）側に向けて折り曲げて接着代部２２をプラスチックシート２０の中途部に接着（固定）することで、短手方向両側（左右）に開口したスリーブ状の乾電池収容部３がケース２の下側に形成される。該乾電池収容部３は、収容する乾電池包装体１の形状に対応した角筒状であって、縦長の長方形断面を有する。即ち、ケース２は、上面壁３１、下面壁３２、正面壁３３、背面壁３４からなる乾電池収容部３と、該乾電池収容部３の背面壁３４から上方に延設された上方延設片４とを備えている。尚、前記接着代部２２は、背面壁３４に接着されている。尚、上述したようにプラスチックシート２０は折曲罫線２１によって５つの部位に区画されるが、それらの部位は、下から順に、接着代部２２と、上面壁３１となる上面壁部２３と、正面壁３３となる正面壁部２４と、下面壁３２となる下面壁部２５と、背面壁３４及び上方延設片４となる背面部２６である。
【００１２】
また、乾電池収容部３の正面壁３３の下端及び背面壁３４の下端には、それぞれ脚用突片５が延設されている。該脚用突片５は、乾電池収容部３の下面壁３２から下方に突出しており、該複数の脚用突片５によってケース２は自立可能に構成されている。尚、脚用突片５の形状や個数等は任意であるが、本実施形態では、前側に二箇所、後側に一箇所、合計３箇所形成されている。この脚用突片５は、図３に示すように、プラスチックシート２０において乾電池収容部３の下面壁３２となる部分、即ち、下面壁部２５に、折曲罫線２１を起点とした略コの字状の突片用切り込み２７を設けることで形成される。
尚、上方延設片４には、ケース２を吊り下げるための吊下用孔６が形成されている。従って、ケース２は、脚用突片５による起立状態での陳列の他に、吊下用孔６による吊り下げ状態での陳列も可能である。
また、正面壁３３には、一対の切り取り線５０によって他の部分から接離可能な帯状の切離片５１が設けられている。一対の切り取り線５０は互いに平行であって、横方向に沿って直線状に形成されてシート２０を横断している。
【００１３】
そして、乾電池包装体１は、その軸線がケース２の左右方向、即ち、プラスチックシート２０の短手方向に沿うようにして乾電池収容部３に収容されている。乾電池収容部３は上述の如く左右両側に開口した横型のスリーブ状であるため、該乾電池収容部３には、収容された乾電池包装体１の左右両開口部７からの抜け落ちを防止するための抜け止め係止片８が左右一対設けられている。該抜け止め係止片８は、乾電池収容部３の背面壁３４から下面壁３２にかけて上下方向（プラスチックシート２０の長手方向）に沿って直線状の切り込み２８を形成することによって形成される。即ち、切り込み２８は背面壁３４と下面壁３２との間の折曲罫線２１を跨ぐように形成されている。切り込み２８は、下面壁３２の前後方向略中央部から背面壁３４の上側略１／３の付近まで形成されている。このように切り込み２８を形成することにより、抜け止め係止片８は、切り込み２８とプラスチックシート２０の側縁部２０ａとの間に幅略一定に形成され、背面壁３４と下面壁３２との間の角部を跨ぐようにして形成されている。尚、切り込み２８の下端からプラスチックシート２０の側縁部２０ａまで折曲罫線２９が形成されている。該折曲罫線２９は、切り込み２８及びプラスチックシート２０の側縁部２０ａに対して略直交している。
【００１４】
この抜け止め係止片８は、その切り込み２８側のエッジ８ａ（内側のエッジ）によって乾電池包装体１を係止する構成である。そのため、抜け止め係止片８は、背面壁３４から乾電池収容部３の内方に向けて変形している。具体的には、抜け止め係止片８は、正面壁３３側に向けて前側凸に湾曲した状態に変形している。その際、折曲罫線２９の部分が山折りに折り曲げられる。そして、抜け止め係止片８はその頂部において正面壁３３の内面に固着されている。この固着の方法は、例えば、超音波シールや、ホットメルト等の接着剤の使用、あるいは溶着やヒートシールなどがある。図１において、符号９が固着部である。このように抜け止め係止片８の一部が正面壁３３に固着されることによって、抜け止め係止片８の変形状態が保持されている。
【００１５】
本実施形態における乾電池収容体は以上のような構成からなるが、ケース２の乾電池収容部３に乾電池包装体１を収容する方法としては、ケース２を形成した後にその乾電池収容部３を左右何れかの開口部７から挿入する方法の他、乾電池包装体１をプラスチックシート２０で巻くようにしながら該プラスチックシート２０を折曲形成して乾電池収容部３を形成すると共に乾電池包装体１を収容する方法もある。そして、乾電池包装体１を収容した後において、抜け止め係止片８を後方から前方に向けて押圧することにより抜け止め係止片８をその法線の方向に湾曲変形させ、例えば超音波シールにより正面壁３３に抜け止め係止片８をポイントシールにより固着しその変形状態を保持する。
【００１６】
このようにして形成された乾電池収容体にあっては、一枚のプラスチックシート２０から乾電池収容部３を有するケース２が構成されているので、従来のブリスターパックに比して容易に製造することができる。そして、シート成形が不要であるので、プラスチックシート２０に種々の印刷を容易に且つ精度良く施すことができる。また、帯状のプラスチックシート２０を使用するので製造コストが低く、一般の箱形の場合に比してシートの無駄も少ない。更に、抜け止め係止片８が左右一対設けられているので、左右の開口部７からの乾電池包装体１の抜け落ちを効果的に防止することができる。特に、抜け止め係止片８は切り込み２８側のエッジ８ａ（シート端面）で係止する構成であるので、乾電池包装体１から受ける力に対しても強く、確実に乾電池包装体１を係止することができる。また、湾曲状態に変形しているので、屈曲状態に変形している構成に比して、乾電池包装体１を係止する長さが長く、収容された乾電池包装体１の安定性が高いという利点がある。更に、乾電池Ｂを個々に収容する構成の場合、抜け止め係止片８は全ての乾電池Ｂを係止する必要があるが、乾電池Ｂが一括的にシュリンク包装されているので、抜け止め係止片８が乾電池包装体１の一部を係止することでその抜け落ちを確実に防止できるという利点がある。また、抜け止め係止片８が正面壁３３の内面に固着されているので、固着していない場合に比して、店頭でいたずらによって抜け止め係止片８による係止状態が簡単に解除されるということが少なくなり、仮に解除されたとしてもその痕跡が残るためその事を容易に確認することができ、いわゆるタンパー機能が発揮されることとなる。
一方、収容された乾電池包装体１を取り出す際には、切離片５１を他の部分から切離して正面壁３３を上下に二分することで、乾電池包装体１を容易に取り出すことができる。また、抜け止め係止片８を正面壁３３から分離して抜け止め係止片８を元の状態に戻すことで、乾電池包装体１を容易に取り出すこともできる。即ち、抜け止め係止片８を湾曲変形した状態から元の状態に戻すことで、スリーブ状の乾電池収容部３の開口部７から乾電池包装体１を側方に取り出すことができるのである。このように、抜け止め係止片８という簡単な構成によって乾電池包装体１の抜け落ち防止と良好な取り出し性とを両立させることができる。
【００１７】
尚、本実施形態では、背面壁３４側に抜け止め係止片８を形成したが、正面壁３３側に形成してもよい。但し、背面壁３４側に形成すると、正面壁３３における表示スペースが大きくとれるため好ましい。
【００１８】
また、抜け止め係止片８は湾曲状態ではなくて屈曲状態に変形したものであってもよく、何れにしても乾電池収容部３の内方に向けて変形していればよい。例えば、図４及び図５に示すように、抜け止め係止片８を略直角に屈曲変形させてもよい。尚、図４のように、抜け止め係止片８を左右の開口部７にそれぞれ上下一対設けてもよい。その場合、切り込み２８は正面壁３３側と背面壁３４側の双方に設けて変形の方向が上下で異なるようにしてもよい。このように屈曲変形させる場合においても、抜け止め係止片８を対向する箇所の内面に固着してタンパー性を確保することが好ましい。尚、図５に示すように、折曲罫線２９において山折りに折り曲げられることにより抜け止め係止片８は乾電池収容部３の内方に向けて屈曲変形されている。
【００１９】
更に、抜け止め係止片８を上面壁３１や下面壁３２に形成することもできる。例えば、図６及び図７のように、上面壁３１と下面壁３２の左右両端部に各々抜け止め係止片８を形成し、該抜け止め係止片８の略中央部を谷折り状に屈曲変形させてその内側のエッジ８ａで乾電池包装体１を係止する構成としてもよい。尚、抜け止め係止片８の略中央部にも折曲罫線３０が設けられて谷折り状に屈曲させやすくなっている。複数の乾電池Ｂは一括包装されているので、上面壁３１や下面壁３２の抜け止め係止片８で乾電池包装体１の上下両端部のみが係止されても乾電池包装体１の抜け落ちを確実に防止できる。上面壁３１と下面壁３２に抜け止め係止片８を設ける場合、正面壁３３や背面壁３４の上下寸法、即ち、上面壁３１と下面壁３２の上下の離間距離を、乾電池包装体１の上下寸法よりも僅かに小さくする。これにより、乾電池包装体１を収容すると、図６のように上面壁３１と下面壁３２が乾電池包装体１に押されてそれぞれ上方、下方に湾曲することとなり、従って、上面壁３１と下面壁３２に設けた抜け止め係止片８で確実に乾電池包装体１を係止することができる。
【００２０】
また、抜け止め係止片８を乾電池収容部３の左右両端に形成したが、切り込み２８を二本ずつ形成してその二本の切り込み２８の間に抜け止め係止片８を形成するようにしてもよい。即ち、左右両端よりも内側の位置に抜け止め係止片８を形成してもよい。何れにしても、切り込み２８を形成することによってその外側に抜け止め係止片８を形成し、抜け止め係止片８の内側のエッジ８ａで乾電池包装体１を係止する構成であればよい。
【００２１】
また、ケース２の構成も適宜設計変更可能であって、例えば、図６及び図７のように、上方延設片４の上端部にフラップ４０を突設してもよい。突出したフラップ４０の存在により乾電池収容体を目立ちやすくできる。尚、輸送梱包時には、フラップ４０を折曲罫線２１で下方に折り返してフラップ用切り込み４１に差し込んむ。このように下方に折り返すことで輸送梱包時にフラップ４０が邪魔になることがない。
【００２２】
また、乾電池収容部３の形状も種々設計変更可能である。角筒状以外の形状であってもよい。
【００２３】
更に、上記実施形態では、プラスチックシート２０の下端部を上端部側に向けて曲げて該シート２０の中途部に固定することによりスリーブ状の乾電池収容部３と上方延設片４とを形成するように構成したが、上方延設片４の長さをより長くしたり逆に短くしたりしてもよく、また、上方延設片４を省略することもできる。何れにしても、プラスチックシート２０の下端部を上端部側に向けて曲げてスリーブ状の乾電池収容部３を形成する構成であればよい。
【００２４】
また、乾電池包装体１は、シュリンク包装以外の包装形態であってもよい。
【図面の簡単な説明】
【００２５】
【図１】本発明の一実施形態に係る乾電池収容体の背面図。
【図２】同乾電池収容体の左側面図。
【図３】同乾電池収容体に使用されるプラスチックシートの展開図。
【図４】他の実施形態における乾電池収容体の左側面図。
【図５】同乾電池収容体に使用されるプラスチックシートの展開図。
【図６】他の実施形態における乾電池収容体の左側面図。
【図７】同乾電池収容体に使用されるプラスチックシートの展開図。
【符号の説明】
【００２６】
１…乾電池包装体、２…ケース、３…乾電池収容部、７…開口部、８…抜け止め係止片、２０…プラスチックシート、２８…切り込み、Ｂ…乾電池
【図１】
2005093334.tif 000003
【図２】
2005093334.tif 000004
【図３】
2005093334.tif 000005
【図４】
2005093334.tif 000006
【図５】
2005093334.tif 000007
【図６】
2005093334.tif 000008
【図７】
2005093334.tif 000009